(57)【特許請求の範囲】
【請求項１】
風船の周縁部に設けた連結シートの外縁に沿って上記風船の内部と連通する空気通路を設け、該空気通路は上記風船内部の空気を循環可能に形成した上で途中に溶接部を設けて当該空気通路の空気の流通を遮断し、上記空気通路の内側に孔部を形成し、該孔部に上記風船の内部に挿入し当該孔部において開口する逆止弁構造を備えた空気供給弁を設けたことを特徴とする装飾用風船。
【請求項２】
風船の内部と連通する２条の空気通路を形成し、該空気通路に他の風船を上記風船と互いに連通させて設け、上記空気通路のいずれか一方の通路に溶接部を設けて当該空気通路の一方の通路の空気の流通を遮断したことを特徴とする請求項１に記載の装飾用風船。
【請求項３】
風船に設けた空気通路によって形成された孔部に、紐又は棒などの連結具を挿入し、複数の風船によって装飾風船体を形成することを特徴とする請求項１又は２に記載の装飾用風船。
【請求項４】
空気通路を介して複数の風船が互いに連通して形成されているものにおいて、少なくとも１つの風船に空気供給弁を設けたことを特徴とする請求項２又は３に記載の装飾用風船。
【請求項５】
風船が、プラスチックフィルムによって形成されていることを特徴とする請求項１から４のいずれかに記載の装飾用風船。
【発明の詳細な説明】
【０００１】
【発明の属する技術分野】
本発明は、装飾用風船に関するものである。
【０００２】
【従来の技術】
複数の風船を紐又は棒などの連結具に結びつけて装飾体を構成するようにした装飾用風船体は知られている。
【０００３】
例えば、特開平８-２９４５８３号公報によって公開された装飾用風船は、本願発明者が開発したものである。この発明は、図７に示すように、４個の風船２を環状に配設すると共に各風船２を空気通路３により連通させて単位風船１を形成し、単位風船１を複数個使用し、各単位風船１の中心部に紐などを通す際に各風船２の位置をずらせることで美麗な装飾風船体が得られるものである。
【０００４】
上記した従来例は、装飾風船を形成する単位風船が色彩又は模様によって複数種あり、これをバランスよく組立てているので、単位風船１を構成する風船２の１つが破損した場合に、装飾風船体に組込まれた単位風船を取り除いてしまうと全体のバランスが悪くなってしまうものであった。
【０００５】
このため、従来技術においては、装飾風船体として組立てられた後に、単位風船の風船の１つが破損した場合は、装飾風船体としては色彩又は模様のバランスが悪いがそのままにしておくか、または、装飾風船体を組立て直すかの処置をしていたのであり、美麗に形成された装飾風船体を長期間使用するための何らかの改善策が要望されていた。
【０００６】
【発明が解決しょうとする課題】
本発明は、１個又は複数個の風船を結合した単位風船を用いて美麗な装飾風船体を作成することができる装飾用風船を提供することを課題としている。
【０００７】
【課題を解決するための手段】
解決手段の第１は、請求項１に対応しており、風船の周縁部に設けた連結シートの外縁に沿って上記風船の内部と連通する空気通路を設け、該空気通路は上記風船内部の空気を循環可能に形成した上で途中に溶接部を設けて当該空気通路の空気の流通を遮断し、上記空気通路の内側に孔部を形成し、該孔部に上記風船の内部に挿入し当該孔部において開口する逆止弁構造を備えた空気供給弁を設けたことを特徴とするものである。
【０００８】
解決手段の第２は、請求項２に対応しており、風船の内部と連通する２条の空気通路を形成し、該空気通路に他の風船を上記風船と互いに連通させて設け、上記空気通路のいずれか一方の通路に溶接部を設けて当該空気通路の一方の通路の空気の流通を遮断したことを特徴とするものである。
【０００９】
解決手段の第３は、請求項３に対応しており、風船に設けた空気通路によって形成された孔部に、紐又は棒などの連結具を挿入し、複数の風船によって装飾風船体を形成することを特徴とするものである。
【００１０】
解決手段の第４は、請求項４に対応しており、空気通路を介して複数の風船が互いに連通して形成されているものにおいて、少なくとも１つの風船に空気供給弁を設けたことを特徴とするものである。
【００１１】
解決手段の第５は、請求項５に対応しており、風船が、プラスチックフィルムによって形成されていることを特徴とするものである。
ものである。
【００１２】
本発明は、単位風船の１つが破損した場合に、破損した単位風船のみを簡単に交換して元の状態に修復できるものである。また、単位風船に設けた孔部に紐又は棒などを挿入することで、複数の単位風船によって装飾風船体が形成できるものである。
【００１３】
【発明の実施の形態】
実施例１
図１から図３は、単位風船が１個の風船によって構成されている装飾用風船を示している。単位風船１０１は、球形に形成された風船１０２が１個であり、風船１０２の周縁部に連結シート１０３を設けたものであって、該連結シート１０３の外縁に沿って上記風船１０２の内部と連通し、当該風船内部の空気を循環可能にした空気通路１０４を形成すると共に、該空気通路１０４の内側に孔部１０５を形成したものである。ただし、風船１０２には、空気通路（１０４）のみを環状に形成して該空気通路の内側を孔部（１０５）とすることができる。
【００１４】
上記空気通路１０４の内側に形成された孔部１０５には、風船１０２の内部に挿入し当該孔部１０５において開口する空気供給弁１０６が設けられている。なお、空気供給弁１０６は逆止弁構造を備えた公知のフィルム弁である。
【００１５】
また、図２に示す単位風船１０１は、空気通路１０４の途中に溶接部１０７を設けて当該空気通路１０４の空気の流通を遮断している。実施例において、空気通路１０４に設けた溶接部１０７は、風船１０２から最も遠い位置に設けられているが、溶接部１０７の位置は実施例に限定されない。
【００１６】
単位風船１０１は、２枚のプラスチックフィルムを使用し、各フィルムを風船１０２及び連結シート１０３に沿って切断すると同時に、風船１０２並びに空気通路１０４が形成されるように溶接する。なお、連結シート１０３に形成する孔部１０５の製造と、風船１０２内に挿入固定する空気供給弁１０６の取付けは同時に行うことができる。
【００１７】
単位風船１０１を用いて装飾風船体を形成するには、まず、空気供給弁１０６にストロー状の器具を風船１０２の内部に達するまで差込み、空気を供給して風船１０２を膨らませる。次いで、図３に示すように、単位風船１０１の孔部１０５に紐又は棒などの連結具１１０を挿入し、複数個の単位風船１０１によって装飾風船体１１１を形成する。
【００１８】
単位風船１０１は、連結具１１０に通した時に各風船１０２の取付け位置をずらせて組立てる。また、各風船１０２は色彩を変えたり又はフィルムの地模様を変えたりしているので、色彩が異なる風船がバランスよく配置され美麗な装飾風船体１１１が得られる。
【００１９】
ここで、組立てられた装飾風船体１１１を構成している単位風船１０１の１つが破損した場合は、溶接部１０７を切断して当該単位風船１０１を連結具１１０から取り除く。そして、同じ色彩又は同じ地模様の新しい単位風船１０１を、今度は、予め溶接部１０７を切断し、破損したために取り除いた位置に溶接部１０７から連結具１１０に差し込み、元の装飾風船体１１１の状態に修復する。
【００２０】
実施例２
図４から図６は、単位風船が２個の風船によって構成されている装飾用風船を示している。単位風船１は、球形に形成された２個の風船２が連結シート３を介して接続され、該連結シート３の外縁に沿って上記風船２の内部と連通する２条の空気通路４が形成され、これにより、当該２つの風船２が互いに連通している。また、上記連結シート３には、空気通路４の内側部分に孔部５を設けており、さらに上記風船２の内部に挿入し当該孔部５において開口する空気供給弁６が設けられている。なお、空気供給弁６は、ここでも逆止弁構造を備えた公知のフィルム弁である。
【００２１】
また、上記第２の空気通路４のいずれか一方には、通路の中間位置に当該通路を閉塞する溶接部７を設けている。
【００２２】
単位風船１の作成及び単位風船１を用いて装飾風船体１１を形成する手順は、実施例１の場合と同じである。
【００２３】
実施形態は、単位風船が、１個又は２個の風船によって構成したものを説明したが、単位風船は、３個ないし４個の風船によって構成することができるものである。
【００２４】
【発明の効果】
本発明は、１個又は複数の単位風船を用いて装飾風船体を形成するものであって、装飾風船体を構成する風船が破損した場合に、破損した単位風船を簡単に交換して元の状態に修復できる効果がある。
【図面の簡単な説明】
【図１】  実施例１による装飾用風船を示す斜視図。
【図２】  図１の単位風船の空気通路部分を示す横断面図。
【図３】  図１の装飾用風船を使用した装飾風船体を示す斜視図。
【図４】  実施例２による装飾用風船を示す斜視図。
【図５】  図４の単位風船の空気通路部分を示す横断面図。
【図６】  図４の装飾用風船を使用した装飾風船体を示す斜視図。
【図７】  従来の装飾用風船を示す斜視図。
【符号の説明】
１，１０１  単位風船
２，１０２  風船
３，１０３  連結シート
４，１０４  空気通路
５，１０５  孔部
６，１０６  空気供給弁
７，１０７  溶接部
１０，１１０  連結具
１１，１１１  装飾風船体
【図１】
0003974978.tif 000002
【図２】
0003974978.tif 000003
【図３】
0003974978.tif 000004
【図４】
0003974978.tif 000005
【図５】
0003974978.tif 000006
【図６】
0003974978.tif 000007
【図７】
0003974978.tif 000008